(57)【要約】【課題】流量検出手段で検出した流量信号周期を計測し、周期より精度良く流量積算を行うガス遮断装置を提供する。【解決手段】流量検出手段１９がガス流量を検出するとパルス信号を出力し、周期計測手段２０で次の流量信号まで周期計測を行い、次にカレンダ手段２３とから積算開始する月日に到達したかを判定し、周期計測手段２０で計測した流量信号周期を元に周期判定手段２２で所定流量以上かを判定し、所定流量以上で所定の設定月日に達しているの設定月日判定手段２５で判定すると、器具流量の使用量を流量積算手段２７に積算する構成にしている。【選択図】　図１
2004125611.tif 000002
【特許請求の範囲】
【請求項１】
ガス流量を検出するとパルス信号を出力する流量検出手段と、前記流量検出手段より流量信号が出力されると計測開始し次の流量信号までの周期計測を行う周期計測手段と、前記周期計測手段の出力値と比較する複数の周期を設定する周期設定手段と、前記周期計測手段で計測した流量信号周期が設定周期以下かを判定する周期判定手段と、月日を計時するカレンダ手段と、前記カレンダ手段とから積算開始する月日に到達したかを判定する設定月日判定手段と、前記周期判定手段で所定以下と判定時かつ前記設定月日判定手段で所定月日と判定後流量を積算する流量積算手段とを備えたガス遮断装置。
【請求項２】
月日設定手段は、所定期間が経過すると自動的に月日設定をリセットする月日設定解除手段とからなる請求項１のガス遮断装置。
【請求項３】
月日設定手段は、所定期間が経過すると自動的に設定値をリセットするか自動継続設定するかの切替手段とからなる請求項１のガス遮断装置。
【請求項４】
月日設定手段は、うるう年判定を行ううるう月日補正手段とからなる請求項１のガス遮断装置。
【請求項５】
ガス流量を検出するとパルス信号を出力する流量検出手段と、前記流量検出手段より流量信号が出力されると計測開始し次の流量信号までの周期計測を行う周期計測手段と、前記周期計測手段の出力値と比較する複数の周期を設定する周期設定手段と、前記周期計測手段で計測した流量信号周期が設定周期以下かを判定する周期判定手段と、月日曜日を計時するカレンダ手段と、前記流量検出手段の検出流量を積算開始する月日を設定する月日設定手段と、積算開始する曜日を設定する曜日設定手段と、前記第１のカレンダ手段と設定月日と設定曜日が重なった場合設定月日を優先して積算開始判定する積算判定手段と、前記周期判定手段で所定以下と判定時かつ前記積算判定手段で所定月日と判定時流量を積算する流量積算手段とを備えたガス遮断装置。
【請求項６】
請求項１〜５のいずれか１項記載の遮断装置の手段の全てもしくは一部としてコンピュータを機能させるためのプログラム。
【発明の詳細な説明】
【０００１】
【発明の属する技術分野】
本発明は、都市ガスやＬＰガス等を利用するガス器具のガス使用量及び使用状態を計測・監視するガス遮断装置において、流量区分毎のガス使用量の積算精度を確保するガス遮断装置に関する。
【０００２】
【従来の技術】
従来のこの種のガス遮断装置は、例えば特許文献１に示されるように図６の構成になっていた。
【０００３】
図６において、１はガスメータで、ガス供給ラインに設けられる。２は流量検出部で、ガス供給管を流れるガス流量を検出する。３は流量演算部で、流量検出部２の検出出力によりガス流量を演算する。４は通常積算値演算部で、流量演算部３で演算されたガス流量を積算する。５は通常積算値記憶部で、演算されたガス流量積算値を記憶する。６は別のガスメータのガス流量演算出力部で、ガスメータ１の流量演算部３で演算されたガス流量及び他のガスメータでの流量演算出力６を予め定められた区分毎に積算する複数の第２の積算値演算部と、演算された区分毎のガス流量積算値を記憶する複数の第２の積算値記憶部とからなる。流量演算部３によって演算されたガス流量を予め定められた時間帯別に積算する時間帯別積算値演算部７及び演算された時間帯別積算値を記憶する時間帯別積算値記憶手段８と、予め定められた流量区分別及び入力ポート別に積算する流量区分別積算値演算部９及び演算された流量区分別積算値を記憶する流量区分別積算値を記憶する流量区分別積算値記憶部１０と、予め定められた設定ガス量を越える超過ガス量を積算する超過量積算値演算部１１及び演算された超過量積算値を記憶する超過量積算値記憶部１２とがある。１３、１４、１５、１６は表示部で、各積算値を表示する．１７は料金演算部、１８は料金表示部で各記憶部５、８、１０、１２に記憶された積算量と各料金単価とからガス料金を計算し、料金表示部１８で表示できるようにしている。
【０００４】
次に従来例の構成の動作を説明する。時間帯別積算値演算部７では、例えば土曜日及び日曜日と、平日における２２時から７時迄の時間帯を含む土日深夜時間帯と、それ以外の平日時間帯のとの２つの時間帯区分にわけ、ガス使用量の積算値を演算し、時間帯別積算値記憶手段８に記憶保持される。次に流量区分別積算値演算部９は割安使用料金にするガス器具に取り付けた他のガスメータ６Ａの流量演算出力６を積算記憶し、割安料金を算出する。消費者宅で使用ガス器具がガスコンロとガスヒートポンプ（ＧＨＰ）と給湯器の場合、使用されている時の流量区分は各消費者宅の使用ガス器具の組み合わせで決まっている。その使用時間に応じて時間帯別のガス器具毎の使用量を把握することができる。一方超過量積算値演算部１１は、予め設定されているガス量設定値を越える超過ガス量のみ積算する。この超過ガス量についても通常料金に比較して割安料金を適用する等のことができる。
【０００５】
【特許文献１】
特開２０００−２０５９２３号公報
【０００６】
【発明が解決しようとする課題】
しかしながら上記従来の構成では、流量検出部の信号から流量演算部で演算しその演算出力で流れている流量値を判定し積算するという方法の為、例えば流れ始めた時点からの流量がわからず積算精度に問題があり、又流量演算等に多大な時間を要しその結果電池電源でガスメータ自体を駆動しているため多量の消費電流を消費する等の問題があり、更に流量を求めるのに流量演算部でどの様に行って検針の精度を確保するかが開示されておらず、又時間帯別積算記憶部で時間帯毎に積算できるが、予め決められた時間帯以外でその時間帯に相当する時間で多量にガスが使用されてもガス需要家に料金面等において何のメリットもない等の課題を有していた。
【０００７】
本発明は上記課題を解決するもので、ガス使用量の計測精度の高いガス遮断装置を提供することを目的としたものである。
【０００８】
【課題を解決するための手段】
この課題を解決するために本発明は、流量検出手段がガス流量を検出するとパルス信号を出力し、周期計測手段で次の流量信号まで周期計測を行い、次にカレンダ手段とから積算開始する月日に到達したかを判定し、周期計測手段で計測した流量信号周期を元に周期判定手段で所定流量以上かを判定し、所定流量以上で所定の設定月日に達している場合、器具流量の使用量を流量積算手段に積算する構成にしている。
【０００９】
このことにより、流量検出手段はガス流量計量部の計量動作に比例してパルス信号等の形式で流量信号を出力し、パルス信号周期はガス器具の使用流量に反比例しているので出力開始パルスより周期計測することにより正確且つ精度良く流量を検出でき、更に正月等ガス需要の最も高い時期を月日設定手段で予め設定しておくと、その期間のガス使用量をガス器具の数とは無関係に所定流量以上の場合、パルス信号毎に各々検針積算するので、曜日や時間帯で指定した以外に所定時間ガスを使用しても検針できないということがなく確実に検針でき、計測精度が向上する。
【００１０】
【発明の実施の形態】
本発明は上記目的を達成するため、ガス流量を検出するとパルス信号を出力する流量検出手段と、前記流量検出手段より流量信号が出力されると計測開始し次の流量信号までの周期計測を行う周期計測手段と、前記周期計測手段の出力値と比較する複数の周期を設定する周期設定手段と、前記周期計測手段で計測した流量信号周期が設定周期以下かを判定する周期判定手段と、月日を計時するカレンダ手段と、前記カレンダ手段とから積算開始する月日に到達したかを判定する設定月日判定手段と、前記周期判定手段で所定以下と判定時かつ前記設定月日判定手段で所定月日と判定後流量を積算する流量積算手段とからなる。
【００１１】
そして、ガス需要家がガス器具を使用開始すると流量検出手段によりパルス信号で流量信号が出力開始されるが、その周期は流量に反比例しており流量パルス検出と共に流量信号周期を計測開始し次の流量パルス検出迄の周期を計測し、その流量周期により所定流量以上かどうかを判定し所定流量以上の場合、計時手段でガス使用時間を計測開始し、設定時間以上ガスを使用した場合流量積算手段に積算するので、流量パルス出力開始より確実に積算開始でき、かつ周期を正確に計測して検針するので極めて高精度であり、かつガス需要家の使用実態に合わせ大量にガス器具及びガスを使用する期間を月日設定手段で設定しておくと所定月日に達しガスを使用すると積算開始するので、正月使用料金等としてガス需要家にメリットのあるガス料金体系をガス事業者が設定でき、極めて利便性が良く、かつ検針処理が高速で流量積算できるので計測精度が向上し消費電力が少なく電池電源の搭載本数を少なくてすむ。
【００１２】
更に本発明は上記目的を達成するため、ガス流量を検出するとパルス信号を出力する流量検出手段と、前記流量検出手段より流量信号が出力されると計測開始し次の流量信号までの周期計測を行う周期計測手段と、前記周期計測手段の出力値と比較する複数の周期を設定する周期設定手段と、前記周期計測手段で計測した流量信号周期が設定周期以下かを判定する周期判定手段と、月日を計時するカレンダ手段と、前記カレンダ手段とから積算開始する月日に到達したかを判定する設定月日判定手段と、前記周期判定手段で所定以下と判定時かつ前記設定月日判定手段で所定月日と判定後流量を積算する流量積算手段と、所定期間が経過すると自動的に月日設定をリセットする月日設定解除手段とからなる。
【００１３】
そして、ガス需要家がガス器具を使用開始すると流量検出手段によりパルス信号で流量信号が出力開始されるが、次の流量パルス検出迄の周期を計測し、その流量周期により所定流量以上かどうかを判定し所定流量以上の場合、カレンダ手段からの信号が月日設定手段での設定月日と一致すると計測したガス使用量を流量積算手段に積算するので、流量パルス出力開始より確実に積算開始でき、周期を正確に計測して検針するので極めて高精度であり、かつガス需要家の使用実態に合わせ大量にガス器具及びガスを使用する期間を月日設定手段で設定しておくと所定月日に達しガスを使用すると積算開始するので、特定期間の大量ガス使用料金等としてガス需要家にメリットのあるガス料金体系をガス事業者が設定できるが、ガス需要家のガス消費動向が変動する場合、カレンダ手段から所定期間、例えば１年経過したら月日設定手段の設定値を自動的にリセットし、別の月日に設定された時に過去の設定解除を忘れをされ、間違って積算されることなく極めて利便性や使い勝手が良い。
【００１４】
更に本発明は上記目的を達成するため、ガス流量を検出するとパルス信号を出力する流量検出手段と、前記流量検出手段より流量信号が出力されると計測開始し次の流量信号までの周期計測を行う周期計測手段と、前記周期計測手段の出力値と比較する複数の周期を設定する周期設定手段と、前記周期計測手段で計測した流量信号周期が設定周期以下かを判定する周期判定手段と、月日を計時するカレンダ手段と、前記カレンダ手段とから積算開始する月日に到達したかを判定する設定月日判定手段と、前記周期判定手段で所定以下と判定時かつ前記設定月日判定手段で所定月日と判定後流量を積算する流量積算手段と、所定期間が経過すると自動的に月日設定をリセットする月日設定解除手段と、所定期間が経過時自動的に設定値をリセットするか自動継続設定するかの切替手段とからなる。
【００１５】
そして、ガス需要家がガス器具を使用開始すると流量検出手段によりパルス信号で流量信号が出力開始されるが、次の流量パルス検出迄の周期を計測し、その流量周期により所定流量以上かどうかを判定し所定流量以上の場合、カレンダ手段からの信号が月日設定手段での設定月日と一致すると計測したガス使用量を流量積算手段に積算するので、流量パルス出力開始より確実に積算開始でき、周期を正確に計測して検針するので極めて高精度であり、一方ガス需要家の使用実態は千差万別であり年間通して消費動向が安定している場合と、大量に使用する時期が変動する場合があり、切替手段により月日設定手段に設定した月日を、カレンダ手段からの信号で所定期間経過したら自動的にリセットするか、自動継続するかを選択できるので、ガス事業者は把握したガス需要家毎の使用動向にあわせて設定できるので極めて利便性や使い勝手が良い。
【００１６】
更に本発明は上記目的を達成するため、ガス流量を検出するとパルス信号を出力する流量検出手段と、前記流量検出手段より流量信号が出力されると計測開始し次の流量信号までの周期計測を行う周期計測手段と、前記周期計測手段の出力値と比較する複数の周期を設定する周期設定手段と、前記周期計測手段で計測した流量信号周期が設定周期以下かを判定する周期判定手段と、月日を計時するカレンダ手段と、前記月日設定手段の設定値よりうるう年判定を行い設定開始月日を自動補正するうるう月日補正手段と、前記カレンダ手段とから積算開始する月日に到達したかを判定する設定月日判定手段と、前記周期判定手段で所定以下と判定時かつ前記設定月日判定手段で所定月日と判定後流量を積算する流量積算手段とからなる。
【００１７】
そして、ガス需要家がガス器具を使用開始すると流量検出手段によりパルス信号で流量信号が出力開始されるが、次の流量パルス検出迄の周期を計測し、その流量周期により所定流量以上かどうかを判定し所定流量以上の場合、かつ月日設定手段で積算開始の設定月日に達していれば、ガス使用量を流量積算手段に積算するが、流量パルス出力開始より確実に積算開始でき、かつ周期を正確に計測して検針するので極めて高精度であると共に、ガス需要家の使用実態により閏年の閏月の最終日に設定されると４年に１回しか積算開始できないのを防止するため、閏年でない年には設定月日を前日或いは翌日に補正することにより閏年に係わらず所定月日に達するとガス使用量を積算開始するので、特別期間料金等としてガス需要家にメリットのあるガス料金体系をガス事業者が設定でき、極めて利便性が良く、かつ検針処理が高速で流量積算できるので計測精度が向上し消費電力が少なく電池電源の搭載本数を少なくてすむ。
【００１８】
更に本発明は上記目的を達成するため、ガス流量を検出するとパルス信号を出力する流量検出手段と、前記流量検出手段より流量信号が出力されると計測開始し次の流量信号までの周期計測を行う周期計測手段と、前記周期計測手段の出力値と比較する複数の周期を設定する周期設定手段と、前記周期計測手段で計測した流量信号周期が設定周期以下かを判定する周期判定手段と、月日曜日を計時するカレンダ手段と、前記流量検出手段の検出流量を積算開始する月日を設定する月日設定手段と、積算開始する曜日を設定する曜日設定手段と、前記第１のカレンダ手段と設定月日と設定曜日が重なった場合設定月日を優先して積算開始判定する積算判定手段と、前記周期判定手段で所定以下と判定時かつ前記積算判定手段で所定月日と判定時流量を積算する流量積算手段とからなる。
【００１９】
請求項６に記載の発明は、請求項１〜５のいずれか１項記載の遮断装置の手段の全てもしくは一部をコンピュータに実行させるためのプログラムである。
【００２０】
そして、プログラムであるのでマイコン等を用いて本発明の遮断装置の一部あるいは全てを容易に実現することができる。また記録媒体に記録したり通信回線を用いてプログラムを配信したりすることでプログラムの配布やインストール作業が簡単にできる。
【００２１】
【実施例】
以下、本発明の第１、第２、第３、第４、第５及び第６の実施例を図１、図２、図３、図４、及び図５を参照して説明する。図１、図２、図３、図４、及び図５において、図６と同一機能を有する構成要素に関しては同一番号を付した。
【００２２】
（実施例１）
図１は本発明の第１の実施例のガス遮断装置で、１９は流量検出手段で、計量部（図示せず）がガス量計測する毎に流量に比例して例えばパルス信号や電圧のオンオフ信号等を出力する。２０は周期計測手段で、流量検出手段１９より出力されるパルス信号や電圧信号等のオン信号と次に出力される流量パルス信号や電圧信号のオン信号（或いはオフ信号）迄の周期を計測する。２１は周期設定手段で、周期計測手段２０で計測した周期信号出力値と比較される周期値を通信手段（図示せず）等により複数段階に設定できる。流量パルス信号は計量部の計測速度、即ち流量に反比例してその周期が小さくなるので、周期設定手段２１で設定される周期は、流量値を設定することになる。２２は周期判定手段で、周期計測手段２０で計測した流量信号周期と周期設定手段２１で設定した流量値に換算した周期値とを比較し、所定流量範囲かどうかを判定する。２３はカレンダ手段で、年月日を計時する。２４は月日設定手段で、ガス需要家が大量にガスを消費する月日及び期間、例えば正月、或いは盆期間等を設定する。２５は設定月日判定手段で、カレンダ手段２３と月日設定手段２４とを比較し、所定月日に到達したかを判定する。２６は流量換算手段で、求めた流量信号周期より流量に換算する。２７は流量積算手段で、設定月日判定手段２５で所定時間以上ガス器具を使用したと判定した場合、検出した流量を積算する。２８報知手段で、流量積算手段２７の各々の積算値や合計流量積算値等を表示する、例えばＬＣＤ素子等からなる表示手段であったり、又通信機能を有し（図示せず）公衆電話回線などを利用しガス事業者の保安センターより積算内容を確認できる。２９は異常判定手段で、ガス需要家のガス器具の使用状況を流量検出手段１９より判定し、ガス器具との接続用ガスホースはずれ等により大量のガス漏れ等の異常が発生していないか、あるいはガス器具の異常な長時間使用がなされていないか監視する。３０は遮断手段で、異常判定手段２９でガス器具の異常使用を検知するすると遮断信号が出力される。
【００２３】
次に上記構成の動作を説明する。ガス遮断装置はガス需要家のガス器具使用状態を監視すると共に、ガス器具のガス使用量の積算を行っている。ガス需要家の保有ガス器具で、ガステーブル、ガスストーブだけでなく、複数のガス給湯器を使用したり、冷暖房用にＧＨＰ等を使用し大量のガスを使用する等がある。ガス需要促進する為に、特にガス使用量が他時期に比較し増大する時期、長時間ガス器具を使用したり、結果大量にガス使用した場合、少量しか使わない時期とのガス使用量を分けて流量積算し別料金体系によりガス使用料金の徴収内容を変えたり、ガス需要家毎のガス使用実態を把握しＬＰガスボンベ容器の適切な配送計画を立案したり、ガス需要家の使用実態把握等の管理を容易にする必要がある。
【００２４】
ガス遮断装置の計量部はガス器具を使用するとガス使用量を単位計量体積毎に流量検出手段１９よりパルス信号や電圧オンオフ信号等で出力される。周期計測手段２０はガス器具を使用開始した最初のパルス信号より時間計測開始し、流量検出手段１９が出力する次のパルス信号迄の周期を計測し、周期判定手段２２へ計測した周期を出力すると共にきたパルス信号より再度周期を計測開始する。周期設定手段２１は周期計測手段２０が計測した周期と比較する周期値を設定する。
【００２５】
通常流量検出手段１９が検出し出力するパルス周期は、ガス器具のガス使用流量に比例して流量が大きくなると周期が小さくなり、逆にガス消費量の少ないガス器具を使用するとガス量が少ないので周期が長くなる。ガス給湯器やＧＨＰ等でガスを大量に使う場合のガス流量積算値と、少量のガスを使用した時のガス流量積算値とを分けて積算したい場合、周期設定手段２２に使用ガス器具を想定した境界流量の周期値を設定する。この設定値は通信手段等により複数段階設定することが可能である。ガス器具を使用開始すると最初にくる流量パルス信号より周期を計測開始し、単位計量体積分計測し出力される次の流量パルス信号を検出すると直ちに計測周期値を出力し、次の流量周期を計測開始すると共に、周期判定手段２２では周期設定手段２１で設定した周期値と比較し、所定流量以上かどうかを判定する。
【００２６】
カレンダ手段２３は、月日曜日の計時を行う。月日設定手段２４は、ガス器具によるガス使用の需要量が増大する時期、開始月日、終了月日或いは一定期間値を通信などの手段で設定する。周期判定手段２２より所定流量以上の流量計測値が設定月日判定手段２５に入力されると、カレンダ手段２３と月日設定手段２４とを比較し、所定月日に到達したかを判定し、所定月日に達した場合流量換算手段２６で単位計量体積より流量換算し、特定期間ガス使用量として流量積算手段２７に積算する。所定流量未満時、或いは所定月日から一定期間経過時、積算しない。需要家が保有するガス器具毎にかつガス器具の使用実態、及び生活パターンに応じたガス使用量が積算される。
【００２７】
ガス遮断装置の計量部の単位体積は予め決まっており、単位体積毎ガスを計量すると出力される流量パルスの流量値は計量部の単位計量体積と同じ重みを持つ。
【００２８】
流量換算手段２６では流量パルス１個計測する毎に単位計量体積に置き換えて流量積算手段２４に積算する。通信手段（図示せず）等により予め流量換算手段２３に１パルス当たりの単位体積を設定しておく。後はパルス計測毎置換するのみであり、単位時間あたりの流量、即ち瞬時流量演算等しなくて済むので、極めて単純で簡単な構成で済む。又、流量積算手段２７で計測した流量積算値や、合計流量積算値等は報知手段２８に出力されＬＣＤ素子等で表示される。更にガス供給事業者に電話回線などを通じて流量積算内容を遠隔地より確認、調査ができる。
【００２９】
一方、流量検出手段１９より検出される流量パルス信号より異常判定手段２９でガス器具の使用監視を行う。ガスストーブなどに接続されたゴムホースを誤ってはずした場合、大量のガスが流れ即ち大量の流量パルスが出力されるが、パルス数あるいは周期などを監視しホースはずれか否かを判定し異常流量を検出すると遮断手段２７を作動しガス器具へのガス供給を停止する。
【００３０】
このようにしてガス遮断装置でガス器具を使用開始すると、流量検出手段１９より出力される流量パルス信号でその使用開始を検知し、以降ガス使用を流量パルス周期を計測監視し、流量パルス周期で所定流量異常かどうかを判定しつつ、かつ周期設定手段２１で設定した周期より所定流量以上かどうかを判定し、カレンダ手段２３と月日設定手段２４で設定月日かどうかを判定し所定月日に達した場合、器具のガス使用量をカウントし、特定期間、例えば正月、盆等の年間を通して需要家の最もガス使用量の多い時期の使用量を、特定期間以外のガス使用量とを分けて流量積算するので、ガス事業者が消費者に対してガス使用量より料金メリット等の施策をだせたり、ガス需要家のガス使用実態調査が容易に行えたり、最適な配送計画をたてれ、又極めて高精度に流量積算でき、かつ一定時間毎の流量演算より求めた平均流量より計測する場合に比較しガス器具を使用開始したときより積算するので累積誤差などがなく、かつ流量演算などにより流量を求めるわけではないので積算に要する時間が極めて短時間でできるので電池電源などの場合消費電流を小さくでき電池電源寿命等の信頼性、及び流量積算の精度が極めて高くなる信頼性や使い勝手が向上する。
【００３１】
（実施例２）
図２は本発明の第２の実施例のガス遮断装置である。図２において、図１、図３、図４、図５及び図６と同一機能を有する構成要素には同一番号を付し説明は省略する。
【００３２】
図２は本発明の第２の実施例のガス遮断装置で、３１は月日設定解除手段で、カレンダ手段２３よりの信号で所定期間、例えば１年等経過したのを判定すると、月日設定手段２４に通信などの手段で設定されたガス需要家の特定期間を解除する。
【００３３】
次に上記構成の動作を説明する。ガス需要家の保有ガス器具で、ガステーブル、ガスストーブだけでなく、複数のガス給湯器を使用したり、冷暖房用にＧＨＰ等を使用し大量のガスを使用する等がある。ガス需要促進する為に、特にガス使用量が他時期に比較し増大する時期、長時間ガス器具を使用したり、結果大量にガス使用した場合、少量しか使わない時期とのガス使用量を分けて流量積算し別料金体系によりガス使用料金の徴収内容を変えたり、ガス需要家毎のガス使用実態を把握しＬＰガスボンベ容器の適切な配送計画を立案したり、ガス需要家の使用実態把握等の管理を容易にする必要がある。
【００３４】
ガス遮断装置の計量部はガス器具を使用するとガス使用量を単位計量体積毎に流量検出手段１９よりパルス信号等で出力される。周期計測手段２０はガス器具を使用開始した最初のパルス信号より時間計測開始し、流量検出手段１９が出力する次のパルス信号迄の周期を計測し、周期判定手段２２へ計測した周期を出力すると共にきたパルス信号より再度周期を計測開始する。周期設定手段２１は周期計測手段２０が計測した周期と比較する周期値を設定する。通常流量検出手段１９が検出し出力するパルス周期は、ガス器具のガス使用流量に比例して流量が大きくなると周期が小さくなり、逆にガス消費量の少ないガス器具を使用するとガス量が少ないので周期が長くなる。ガス給湯器やＧＨＰ等でガスを大量に使う場合のガス流量積算値と、少量のガスを使用した時のガス流量積算値とを分けて積算したい場合、周期設定手段２２に使用ガス器具を想定した境界流量の周期値を設定する。この設定値は通信手段等により複数段階設定することが可能である。ガス器具を使用開始すると最初にくる流量パルス信号より周期を計測開始し、単位計量体積分計測し出力される次の流量パルス信号を検出すると直ちに計測周期値を出力し、次の流量周期を計測開始すると共に、周期判定手段２２では周期設定手段２１で設定した周期値と比較し、所定流量以上かどうかを判定する。
【００３５】
カレンダ手段２３は、月日曜日の計時を行う。月日設定解除手段３１は、カレンダ手段２３より所定期間、例えば１年等の期間が経過すると月日設定手段２４に設定解除信号を出力する。その後通信などにより月日設定手段２４に、ガス器具によるガス使用の需要量が増大する時期、開始月日、終了月日或いは一定期間値を手段で設定する。周期判定手段２２より所定流量以上の流量計測値が設定月日判定手段２５に入力されると、カレンダ手段２３と月日設定手段２４とを比較し、所定月日に到達したかを判定し、所定月日に達した場合流量換算手段２６で単位計量体積より流量換算し、特定期間ガス使用量として流量積算手段２７に積算する。所定流量未満時、或いは所定月日から一定期間経過時、積算しない。需要家が保有するガス器具毎にかつガス器具の使用実態、及び生活パターンに応じたガス使用量が積算される。
【００３６】
ガス遮断装置の計量部の単位体積は予め決まっており、単位体積毎ガスを計量すると出力される流量パルスの流量値は計量部の単位計量体積と同じ重みを持つ。流量換算手段２６では流量パルス１個計測する毎に単位計量体積に置き換えて流量積算手段２４に積算する。通信手段（図示せず）等により予め流量換算手段２３に１パルス当たりの単位体積を設定しておく。後はパルス計測毎置換するのみであり、単位時間あたりの流量、即ち瞬時流量演算等しなくて済むので、極めて単純で簡単な構成で済む。又、流量積算手段２７で計測した流量積算値や、合計流量積算値等は報知手段２８に出力されＬＣＤ素子等で表示される。更にガス供給事業者に電話回線などを通じて流量積算内容を遠隔地より確認、調査ができる。
【００３７】
このようにしてガス遮断装置でガス器具を使用開始すると、流量検出手段１９より出力される流量パルス信号でその使用開始を検知し、以降ガス使用を流量パルス周期を計測監視し、流量パルス周期で所定流量異常かどうかを判定しつつ、かつ周期設定手段２１で設定した周期より所定流量以上かどうかを判定し、カレンダ手段２３と月日設定手段２４で設定月日かどうかを判定し所定月日に達した場合、器具のガス使用量をカウントし、特定期間、例えば正月、盆等の年間を通して需要家の最もガス使用量の多い時期の使用量を、特定期間以外のガス使用量とを分けて流量積算するので、ガス事業者が消費者に対してガス使用量より料金メリット等の施策をだせたり、ガス需要家のガス使用実態調査が容易に行えたり、最適な配送計画をたてれ、又極めて高精度に流量積算できる。所が、慶弔が発生したり等ガス需要家の需要動向が変動する。ガス事業者が新しく設定しても過去の設定月日を解除し忘れていた場合、需要の少ない時期とほとんど変わらず、事業者にとっても、需要家にとってもメリットがなく、むしろシステムの使い勝手の悪さになりかねないが、所定期間経過することにより自動リセットされるので、利便性や使い勝手が向上し、信頼性が高まる。
【００３８】
（実施例３）
図３は本発明の第３の実施例のガス遮断装置である。図３において、図１、図２、図４、図５及び図６と同一機能を有する構成要素には同一番号を付し説明は省略する。
【００３９】
図３は本発明の第３の実施例のガス遮断装置で、３２は切替手段で、設定器等の通信手段（図示せず）で設定月日を自動的にリセットするか、自動継続するかを選択できる。事業者が、年間通して各々のガス需要家の使用ガス量動向が変動しやすい客か、そうでないかを判定し、選択する。
【００４０】
次に上記構成の動作を説明する。ガス需要家の保有ガス器具で、ガステーブル、ガスストーブだけでなく、複数のガス給湯器を使用したり、冷暖房用にＧＨＰ等を使用し大量のガスを使用する等がある。ガス需要促進する為に、特にガス使用量が他時期に比較し増大する時期、長時間ガス器具を使用したり、結果大量にガス使用した場合、少量しか使わない時期とのガス使用量を分けて流量積算し別料金体系によりガス使用料金の徴収内容を変えたり、ガス需要家毎のガス使用実態を把握しＬＰガスボンベ容器の適切な配送計画を立案したり、又ガス需要家の使用実態の変動を把握し管理を容易にする必要がある。
【００４１】
ガス遮断装置の計量部はガス器具を使用するとガス使用量を単位計量体積毎に流量検出手段１９よりパルス信号等で出力される。周期計測手段２０はガス器具を使用開始した最初のパルス信号より時間計測開始し、流量検出手段１９が出力する次のパルス信号迄の周期を計測し、周期判定手段２２へ計測した周期を出力すると共にきたパルス信号より再度周期を計測開始する。周期設定手段２１は周期計測手段２０が計測した周期と比較する周期値を設定する。通常流量検出手段１９が検出し出力するパルス周期は、ガス器具のガス使用流量に比例して流量が大きくなると周期が小さくなり、逆にガス消費量の少ないガス器具を使用するとガス量が少ないので周期が長くなる。ガス給湯器やＧＨＰ等でガスを大量に使う場合のガス流量積算値と、少量のガスを使用した時のガス流量積算値とを分けて積算したい場合、周期設定手段２２に使用ガス器具を想定した境界流量の周期値を設定する。この設定値は通信手段等により複数段階設定することが可能である。
【００４２】
ガス器具を使用開始すると最初にくる流量パルス信号より周期を計測開始し、単位計量体積分計測し出力される次の流量パルス信号を検出すると直ちに計測周期値を出力し、次の流量周期を計測開始すると共に、周期判定手段２２では周期設定手段２１で設定した周期値と比較し、所定流量以上かどうかを判定する。
【００４３】
カレンダ手段２３は、月日曜日の計時を行う。ガス事業者はガス需要家のガス使用動向により、切替手段３２を介してカレンダ手段２３の信号を月日設定解除手段３１に入力するか、直接月日設定手段２４に入力するかを選択する。年間通じて需要変動が大きいお客に対しては月日設定解除手段３１側に、又需要変動が小さい客に対しては自動継続できるように直接月日設定手段２４側を選択する。
【００４４】
こうすることにより需要変動がほとんどないお客に対して事業者がいちいち設定しなおす手間をなくす。更に需要変動が頻繁に発生する需要家に対しては、自動リセット可能な月日設定解除手段３１側を選択設定する。
【００４５】
月日設定解除手段３１は、カレンダ手段２３より所定期間、例えば１年等の期間が経過すると月日設定手段２４に設定解除信号を出力され、その後事業者により月日設定手段２４に、ガス使用の需要量が増大する新時期、新開始月日、新終了月日或いは一定期間値を設定する。周期判定手段２２より所定流量以上の流量計測値が設定月日判定手段２５に入力されると、カレンダ手段２３と月日設定手段２４とを比較し、所定月日に到達したかを判定し、所定月日に達した場合流量換算手段２６で単位計量体積より流量換算し、特定期間ガス使用量として流量積算手段２７に積算する。所定流量未満時、或いは所定月日から一定期間経過時、積算しない。需要家が保有するガス器具毎にかつガス器具の使用実態、及び生活パターンに応じたガス使用量が積算される。
【００４６】
ガス遮断装置の計量部の単位体積は予め決まっており、単位体積毎ガスを計量すると出力される流量パルスの流量値は計量部の単位計量体積と同じ重みを持つ。流量換算手段２６では流量パルス１個計測する毎に単位計量体積に置き換えて流量積算手段２４に積算する。通信手段（図示せず）等により予め流量換算手段２３に１パルス当たりの単位体積を設定しておく。後はパルス計測毎置換するのみであり、単位時間あたりの流量、即ち瞬時流量演算等しなくて済むので、極めて単純で簡単な構成で済む。又、流量積算手段２７で計測した流量積算値や、合計流量積算値等は報知手段２８に出力されＬＣＤ素子等で表示される。更にガス供給事業者に電話回線などを通じて流量積算内容を遠隔地より確認、調査ができる。
【００４７】
このようにしてガス遮断装置でガス器具を使用開始すると、流量検出手段１９より出力される流量パルス信号でその使用開始を検知し、以降ガス使用を流量パルス周期を計測監視し、流量パルス周期で所定流量異常かどうかを判定しつつ、かつ周期設定手段２１で設定した周期より所定流量以上かどうかを判定し、カレンダ手段２３と月日設定手段２４で設定月日かどうかを判定し所定月日に達した場合、器具のガス使用量をカウントし、特定期間、例えば正月、盆等の年間を通して需要家の最もガス使用量の多い時期の使用量を、特定期間以外のガス使用量とを分けて流量積算するが、予めガス事業者が消費者のガス使用動向を把握し、月日設定を自動継続か、自動リセットかを切替手段３２で選択できるので、変動が多い需要家に対していちいちクリアと設定をしなおす手間を省き、事業者の設定解除忘れを防止でき、又需要変動のない需要家に対していちいち設定しなおす手間がなく、極めて使い勝手が良く、月日設定によるガス使用量より料金メリット等の施策をだせたり、ガス需要家のガス使用実態調査が容易に行えたり、最適な配送計画をたてれ、又極めて高精度に流量積算でき、利便性や使い勝手、信頼性が高まる。
【００４８】
（実施例４）
図４は、本発明の第４実施例のガス遮断装置である。図４おいて、図１、図２、図３、図５及び図６と同一機能を有する構成要素には同一番号を付し説明は省略する。
【００４９】
図４は本発明の第４の実施例のガス遮断装置で、３３は閏年補正手段で、設定器等の通信手段（図示せず）で設定月日を設定された時、閏年の２月２９日を開始日に設定される場合があるが、閏年以外の場合、前日もしくは、翌日に自動的に月日設定を補正し、４年に１回しか検針しないのを防止する。
【００５０】
次に上記構成の動作を説明する。ガス需要促進する為に、特にガス使用量が他時期に比較し増大する時期、長時間ガス器具を使用したり、結果大量にガス使用した場合、少量しか使わない時期とのガス使用量を分けて流量積算し別料金体系によりガス使用料金の徴収内容を変えたり、ガス需要家毎のガス使用実態を把握しＬＰガスボンベ容器の適切な配送計画を立案したり、又ガス需要家の使用実態の変動を把握し管理を容易にする必要がある。
【００５１】
ガス遮断装置の計量部はガス器具を使用するとガス使用量を単位計量体積毎に流量検出手段１９よりパルス信号等で出力される。周期計測手段２０はガス器具を使用開始した最初のパルス信号より時間計測開始し、流量検出手段１９が出力する次のパルス信号迄の周期を計測し、周期判定手段２２へ計測した周期を出力すると共にきたパルス信号より再度周期を計測開始する。周期設定手段２１は周期計測手段２０が計測した周期と比較する周期値を設定する。通常流量検出手段１９が検出し出力するパルス周期は、ガス器具のガス使用流量に比例して流量が大きくなると周期が小さくなり、逆にガス消費量の少ないガス器具を使用するとガス量が少ないので周期が長くなる。ガス給湯器やＧＨＰ等でガスを大量に使う場合のガス流量積算値と、少量のガスを使用した時のガス流量積算値とを分けて積算したい場合、周期設定手段２２に使用ガス器具を想定した境界流量の周期値を設定する。この設定値は通信手段等により複数段階設定することが可能である。ガス器具を使用開始すると最初にくる流量パルス信号より周期を計測開始し、単位計量体積分計測し出力される次の流量パルス信号を検出すると直ちに計測周期値を出力し、次の流量周期を計測開始すると共に、周期判定手段２２では周期設定手段２１で設定した周期値と比較し、所定流量以上かどうかを判定する。
【００５２】
カレンダ手段２３は、月日曜日の計時を行う。ガス事業者はガス需要家のガス使用動向により、月日設定手段２４にガス需要の高い時期の開始月日、期間或いは終了月日を設定する。このとき開始月日を閏年の２月２９日を設定した場合、４年に１回しか検針積算しないのを防止するため、閏年補正手段３３はカレンダ手段２３より閏年以外の信号が送られてきた場合、開始日を前日、或いは翌日の補正する。
【００５３】
月日設定手段２４に設定され補正された後、周期判定手段２２より所定流量以上の流量計測値が設定月日判定手段２５に入力されると、カレンダ手段２３と月日設定手段２４とを比較し、所定月日に到達したかを判定し、所定月日に達した場合流量換算手段２６で単位計量体積より流量換算し、特定期間ガス使用量として流量積算手段２７に積算する。所定流量未満時、或いは所定月日から一定期間経過時、積算しない。需要家が保有するガス器具毎にかつガス器具の使用実態、及び生活パターンに応じたガス使用量が積算される。
【００５４】
ガス遮断装置の計量部の単位体積は予め決まっており、単位体積毎ガスを計量すると出力される流量パルスの流量値は計量部の単位計量体積と同じ重みを持つ。流量換算手段２６では流量パルス１個計測する毎に単位計量体積に置き換えて流量積算手段２４に積算する。通信手段（図示せず）等により予め流量換算手段２３に１パルス当たりの単位体積を設定しておく。後はパルス計測毎置換するのみであり、単位時間あたりの流量、即ち瞬時流量演算等しなくて済むので、極めて単純で簡単な構成で済む。又、流量積算手段２７で計測した流量積算値や、合計流量積算値等は報知手段２８に出力されＬＣＤ素子等で表示される。更にガス供給事業者に電話回線などを通じて流量積算内容を遠隔地より確認、調査ができる。
【００５５】
このようにしてガス遮断装置でガス器具を使用開始すると、流量検出手段１９より出力される流量パルス信号でその使用開始を検知し、以降ガス使用を流量パルス周期を計測監視し、流量パルス周期で所定流量異常かどうかを判定しつつ、かつ周期設定手段２１で設定した周期より所定流量以上かどうかを判定し、カレンダ手段２３と月日設定手段２４で設定月日かどうかを判定し所定月日に達したかを判定するが、間違って閏年の２月２９日等を設定されても、前日或いは翌日に補正するので、器具のガス使用量をカウントし、特定期間の年間を通して需要家の最もガス使用量の多い時期の使用量を、特定期間以外のガス使用量とを分けて流量積算することができ、需要のピークがあるのに４年に一度しか検針積算しない等の不具合がなく、極めて使い勝手が良く、月日設定によるガス使用量より料金メリット等の施策をだせたり、ガス需要家のガス使用実態調査が容易に行えたり、最適な配送計画をたてれ、又極めて高精度に流量積算でき、利便性や使い勝手、信頼性が高まる。
【００５６】
（実施例５）
図５は、本発明の第５実施例のガス遮断装置である。図５おいて、図１、図２、図３、図４及び図６と同一機能を有する構成要素には同一番号を付し説明は省略する。
【００５７】
図５は本発明の第５の実施例のガス遮断装置で、３４は曜日設定手段で、設定器等の通信手段（図示せず）で週間単位でガス需要の多い曜日をする。３５は積算判定手段で、特定ガス需要増加期間の積算開始設定月日を設定され、更にガス需要の多い曜日設定をされた時、設定月日の期間と設定曜日が重なった場合、設定月日を優先判定して流量積算手段２７に積算する。
【００５８】
次に上記構成の動作を説明する。ガス需要促進する為に、特にガス使用量が他時期に比較し増大する時期、長時間ガス器具を使用したり、結果大量にガス使用した場合、少量しか使わない時期とのガス使用量を分けて流量積算し別料金体系によりガス使用料金の徴収内容を変えたり、ガス需要家毎のガス使用実態を把握しＬＰガスボンベ容器の適切な配送計画を立案したり、又ガス需要家の使用実態の変動を把握し管理を容易にする必要がある。
【００５９】
ガス遮断装置の計量部はガス器具を使用するとガス使用量を単位計量体積毎に流量検出手段１９よりパルス信号等で出力される。周期計測手段２０はガス器具を使用開始した最初のパルス信号より時間計測開始し、流量検出手段１９が出力する次のパルス信号迄の周期を計測し、周期判定手段２２へ計測した周期を出力すると共にきたパルス信号より再度周期を計測開始する。周期設定手段２１は周期計測手段２０が計測した周期と比較する周期値を設定する。通常流量検出手段１９が検出し出力するパルス周期は、ガス器具のガス使用流量に比例して流量が大きくなると周期が小さくなり、逆にガス消費量の少ないガス器具を使用するとガス量が少ないので周期が長くなる。ガス給湯器やＧＨＰ等でガスを大量に使う場合のガス流量積算値と、少量のガスを使用した時のガス流量積算値とを分けて積算したい場合、周期設定手段２２に使用ガス器具を想定した境界流量の周期値を設定する。この設定値は通信手段等により複数段階設定することが可能である。ガス器具を使用開始すると最初にくる流量パルス信号より周期を計測開始し、単位計量体積分計測し出力される次の流量パルス信号を検出すると直ちに計測周期値を出力し、次の流量周期を計測開始すると共に、周期判定手段２２では周期設定手段２１で設定した周期値と比較し、所定流量以上かどうかを判定する。
【００６０】
カレンダ手段２３は、月日曜日の計時を行う。ガス事業者はガス需要家のガス使用動向により、月日設定手段２４にガス需要の高い時期の開始月日、期間或いは終了月日を設定する。更に、ガス事業者は需要家の週間単位でガス需要の多い曜日を曜日設定手段３４に設定する。このとき曜日設定が土曜日、日曜日となり、開始月日から４日間と設定されその期間が土曜日、日曜日と重なった場合、積算判定手段３５では月日設定手段２４の設定を優先し積算し、同一の日で同一曜日のガス使用量であるのに、流量積算手段２７の月日による積算と曜日による積算とがダブって積算しないようにする。
【００６１】
積算判定手段３５で月日設定手段２４の設定値を優先判定した後、周期判定手段２２より所定流量以上の流量計測値が設定月日判定手段２５に入力されると、カレンダ手段２３と月日設定手段２４とを比較し、所定月日に到達したかを判定し、所定月日に達した場合流量換算手段２６で単位計量体積より流量換算し、特定期間ガス使用量として流量積算手段２７に積算する。所定流量未満時、或いは所定月日から一定期間経過時、積算しない。需要家が保有するガス器具毎にかつガス器具の使用実態、及び生活パターンに応じたガス使用量が積算される。
【００６２】
ガス遮断装置の計量部の単位体積は予め決まっており、単位体積毎ガスを計量すると出力される流量パルスの流量値は計量部の単位計量体積と同じ重みを持つ。流量換算手段２６では流量パルス１個計測する毎に単位計量体積に置き換えて流量積算手段２４に積算する。通信手段（図示せず）等により予め流量換算手段２３に１パルス当たりの単位体積を設定しておく。後はパルス計測毎置換するのみであり、単位時間あたりの流量、即ち瞬時流量演算等しなくて済むので、極めて単純で簡単な構成で済む。又、流量積算手段２７で計測した流量積算値や、合計流量積算値等は報知手段２８に出力されＬＣＤ素子等で表示される。更にガス供給事業者に電話回線などを通じて流量積算内容を遠隔地より確認、調査ができる。
【００６３】
このようにしてガス遮断装置でガス器具を使用開始すると、流量検出手段１９より出力される流量パルス信号でその使用開始を検知し、以降ガス使用を流量パルス周期を計測監視し、流量パルス周期で所定流量異常かどうかを判定しつつ、かつ周期設定手段２１で設定した周期より所定流量以上かどうかを判定し、カレンダ手段２３と月日設定手段２４での設定月日、或いは設定曜日かどうかを判定し、設定月日と設定曜日とが重なっている場合、設定月日を優先とし所定月日に達すると、器具のガス使用量をカウントし、特定期間の年間を通して需要家の最もガス使用量の多い時期の使用量を、特定期間以外のガス使用量とを分けて流量積算することができ、間違って月日による使用量検針と曜日による使用量検針とがダブって検針されることなく、極めて使い勝手が良く、月日設定によるガス使用量より料金メリット等の施策をだせたり、ガス需要家のガス使用実態調査が容易に行えたり、最適な配送計画をたてれ、又極めて高精度に流量積算でき、利便性や使い勝手、信頼性が高まる。
【００６４】
【発明の効果】
以上説明したように本発明によれば、ガス流量を検出するとパルス信号を出力する流量検出手段と、前記流量検出手段より流量信号が出力されると計測開始し次の流量信号までの周期計測を行う周期計測手段と、前記周期計測手段の出力値と比較する複数の周期を設定する周期設定手段と、前記周期計測手段で計測した流量信号周期が設定周期以下かを判定する周期判定手段と、月日を計時するカレンダ手段と、前記カレンダ手段とから積算開始する月日に到達したかを判定する設定月日判定手段と、前記周期判定手段で所定以下と判定時かつ前記設定月日判定手段で所定月日と判定後流量を積算する流量積算手段とを設けており、ガス需要家がガス器具を使用開始すると流量検出手段によりパルス信号で流量信号が出力開始されるが、その周期は流量に反比例しており流量パルス検出と共に流量信号周期を計測開始し次の流量パルス検出迄の周期を計測し、その流量周期により所定流量以上かどうかを判定し所定流量以上の場合、かつ設定月日判定手段でカレンダ手段からの月日信号と設定月日が一致したか否かを判定し、一致するとガス使用量を流量積算手段に積算するので、流量パルス出力開始より確実に使用量を積算開始でき、周期を正確に計測して検針するので極めて高精度であり、大量に消費する月日を予め設定しておくと、特別大量使用期間料金としてガス需要家にメリットのあるガス料金体系をガス事業者が設定でき、極めて使い勝手が良くかつ検針処理が高速で流量積算できるので計測精度が向上し消費電力を多く消費しなくてすみ利便性や信頼性が向上する。
【図面の簡単な説明】
【図１】本発明の第１の実施例のガス遮断装置の制御ブロック図
【図２】本発明の第２の実施例のガス遮断装置の制御ブロック図
【図３】本発明の第３の実施例のガス遮断装置の制御ブロック図
【図４】本発明の第４の実施例のガス遮断装置の制御ブロック図
【図５】本発明の第５の実施例のガス遮断装置の制御ブロック図
【図６】従来のガス遮断装置の制御ブロック図
【符号の説明】
１９　流量検出手段
２０　周期計測手段
２１　周期設定手段
２２　周期判定手段
２３　カレンダ手段
２４　月日設定手段
２５　設定月日判定手段
２７　流量積算手段
２９　異常判定手段
３０　遮断手段
３１　月日設定解除手段
３２　切替手段
３３　閏年補正手段
３４　曜日設定手段
３５　積算判定手段
【図１】
2004125611.tif 000003
【図２】
2004125611.tif 000004
【図３】
2004125611.tif 000005
【図４】
2004125611.tif 000006
【図５】
2004125611.tif 000007
【図６】
2004125611.tif 000008